(57)【特許請求の範囲】
【請求項１】
凸部（１０）を有する雄スナップ（１）と、凸部（１０）を係合及び脱係合可能に受け入れる凸部受入れ部（２０）を有する雌スナップ（２、２’）とからなり、前記凸部（１０）は、先端付近の大径部（１１）と、この大径部（１１）から外径が次第に縮小してなる小径部（１２）とを有し、前記雌スナップ（２、２’）は、雄スナップ凸部（１０）の凸部受入れ部（２０）への係合時に、凸部（１０）の大径部（１１）によって内径が弾性的に拡張させられて該大径部（１０）を通過させた後、復元方向に縮小して前記小径部（１２）に対応するリング状弾性部材（２１）と、このリング状弾性部材（２１）を、リング中心を向く内側側部を開放して収容するリング収容部（２２、２２’）とを備えるスナップボタンにおいて、
リング収容部（２２、２２’）の凸部受入れ側上部（２２ａ）の高さを部分的に低くした低上部（２３、２３’）を設け、この低上部（２３、２３’）に対応するリング収容部（２２、２２’）の内部空間部分（ｓ）を、該低上部対応内部空間部分（ｓ）以外のリング収容部内部空間に比べて上下方向に狭まくし、該低上部対応内部空間部分（ｓ）において低上部（２３、２３’）とリング収容部（２２、２２’）の底部（２２ｃ）との間でリング状弾性部材（２１）を挟んで圧着固定したことを特徴とするスナップボタン。
【請求項２】
前記雌スナップ（２、２’）における低上部（２３、２３’）を、リング収容部（２２、２２’）の全周のうち、雌スナップ（２、２’）又は雄スナップ（１）が固定される生地部材（ｔ、ｔ’）における、雄スナップ（１）と雌スナップ（２、２’）とを脱係合させる際に指でつかむ個所に最も近くなる部分に設ける請求項１に記載のスナップボタン。
【請求項３】
凸部（１０）を有する雄スナップ（１）と、凸部（１０）を係合及び脱係合可能に受け入れる凸部受入れ部（２０）を有する雌スナップ（２）とからなり、前記凸部（１０）は、先端付近の大径部（１１）と、この大径部（１１）から外径が次第に縮小してなる小径部（１２）とを有し、前記雌スナップ（２）は、雄スナップ凸部（１０）の凸部受入れ部（２０）への係合時に、凸部（１０）の大径部（１１）によって内径が弾性的に拡張させられて該大径部（１１）を通過させた後、復元方向に縮小して前記小径部（１２）に対応するリング状弾性部材（２１）と、このリング状弾性部材（２１）を、リング中心を向く内側側部を開放して収容するリング収容部（２２）とを備えるスナップボタンにおける雌スナップ（２）の加工方法であって、            
下方に突出する隆起部（３３）を底部に有するダイ（３０）を雌スナップ（２）に対し相対的に押し付けることにより、ダイ（３０）の隆起部（３３）によってリング収容部（２２）の凸部受入れ側上部（２２ａ）の高さを部分的に低くした低上部（２３）を設け、この低上部（２３）に対応するリング収容部（２２）の内部空間部分（ｓ）を、該低上部対応内部空間部分（ｓ）以外のリング収容部内部空間に比べて上下方向に狭まくし、該低上部対応内部空間部分（ｓ）において低上部（２３、２３’）とリング収容部（２２、２２’）の底部（２２ｃ）との間でリング状弾性部材（２１）を挟んで圧着固定することを特徴とする雌スナップの加工方法。
【請求項４】
凸部（１０）を有する雄スナップ（１）と、凸部（１０）を係合及び脱係合可能に受け入れる凸部受入れ部（２０）を有する雌スナップ（２）とからなり、前記凸部（１０）は、先端付近の大径部（１１）と、この大径部（１１）から外径が次第に縮小してなる小径部（１２）とを有し、前記雌スナップ（２）は、雄スナップ凸部（１０）の凸部受入れ部（２０）への係合時に、凸部（１０）の大径部（１１）によって内径が弾性的に拡張させられて該大径部（１１）を通過させた後、復元方向に縮小して前記小径部（１２）に対応するリング状弾性部材（２１）と、このリング状弾性部材（２１）を、リング中心を向く内側側部を開放して収容するリング収容部（２２）とを備えるスナップボタンにおける雌スナップ（２）を生地部材（ｔ’）に取り付けるにあたり、
生地部材（ｔ’）の上方に、雌スナップ（２）を、下方に突出する隆起部（３３）を底部に有する取付けダイ（３０）に保持させ、下方に、雌スナップ（２）を生地部材（ｔ’）に固定するための雌スナップ固定部材（２６）を固定部材支持台（４０）上に配置し、
次いで、取付けダイ（３０）を固定部材支持台（４０）に向かって相対的に移動させて、雌スナップ（２）と雌スナップ固定部材（２６）とを生地部材（ｔ’）を挟んで互いに突き合わせ、雌スナップ固定部材（２６）又は雌スナップ（２）の一部（２７）を生地部材（ｔ’）を貫通させた後、雌スナップ（２）又は雌スナップ固定部材（２６）に変形係止させて雌スナップ（２）を生地部材（ｔ’）に固定すると共に、取付けダイ（３０）の隆起部（３３）によってリング収容部（２２）の凸部受入れ側上部（２２ａ）の高さを部分的に低くした低上部（２３）を設け、この低上部（２３）に対応するリング収容部（２２）の内部空間部分（ｓ）を、該低上部対応内部空間部分（ｓ）以外のリング収容部内部空間に比べて上下方向に狭まくし、該低上部対応内部空間部分（ｓ）において低上部（２３、２３’）とリング収容部（２２、２２’）の底部（２２ｃ）との間でリング状弾性部材（２１）を挟んで圧着固定することを特徴とする雌スナップの加工方法。
【請求項５】
前記雌スナップ（２）における低上部（２３、２３’）を、リング収容部（２２）の全周のうち、雌スナップ（２）又は雄スナップ（１）が固定される生地部材（ｔ、ｔ’）における、雄スナップ（１）と雌スナップ（２）とを脱係合させる際に指でつかむ個所に最も近くなる部分に設ける請求項３又は４に記載の雌スナップの加工方法。
【発明の詳細な説明】
【技術分野】
【０００１】
本発明は、一対の雄スナップ及び雌スナップからなるスナップボタンと、雌スナップの加工方法に関し、特に、雌スナップにリング状弾性部材が付加されたスナップボタンと、リング状弾性部材付き雌スナップの加工方法に関する。
【背景技術】
【０００２】
雄スナップの凸部を雌スナップの凸部受入れ部に係合及び脱係合させるスナップボタンは、衣類、袋物等の合わせ目に広く使用されている。スナップボタンの用途のうちには、雄スナップと雌スナップの間に特に強い結合力及び分離抵抗が要求されるものがあり、その一例として、運動、体型補正等のための女性用ボディースーツにおける股部の合わせ目が挙げられる。この合わせ目を前後からなす二つのスーツ生地部の一方に雄スナップが、他方に雌スナップがそれぞれ固定され、スーツ使用時において、各スーツ生地部を介して雄スナップには前方（又は後方）への、雌スナップには後方（又は前方）への横引き力がかかる。そのため、雄スナップと雌スナップ間の結合力及び分離抵抗が弱いと、スーツ使用時にスーツ股部の雄・雌スナップが外れてしまう。これを防ぐため、雌スナップにリング状弾性部材を付加して上記結合力及び分離抵抗を高めたスナップボタンが、例えば、米国特許第２，３１４，７５１号明細書、実開昭６２−７２０７号公報等に開示されている。
【０００３】
上記リング状弾性部材は、雄スナップ凸部を雌スナップ凸部受入れ部へ係合させる際、凸部先端付近の大径部によって内径が弾性的に拡張させられて該大径部を通過させた後、復元方向に縮小して凸部の小径部を保持するように作用する。
【０００４】
しかしながら、リング状弾性部材を付加して雌スナップの雄スナップに対する結合力及び分離抵抗を高めた場合、ボディースーツを脱ぐ際にその股部の雄・雌スナップを外すために必要な力が大きくなりすぎ、スーツが非常に脱ぎにくいという問題があった。
【特許文献１】米国特許第２，３１４，７５１号明細書
【特許文献２】実開昭６２−７２０７号公報
【発明の開示】
【発明が解決しようとする課題】
【０００５】
本発明は、以上の問題点に鑑みてなされたもので、その目的は、雄スナップと雌スナップ間の結合力及び分離抵抗を高く保ちつつ、特定の方向から比較的外しやすくしたスナップボタンと、このようなスナップボタンにおける雌スナップを得るための雌スナップの加工方法を提供することにある。
【課題を解決するための手段】
【０００６】
本発明によれば、上記課題を解決するため、凸部を有する雄スナップと、凸部を係合及び脱係合可能に受け入れる凸部受入れ部を有する雌スナップとからなり、前記凸部は、先端付近の大径部と、この大径部から外径が次第に縮小してなる小径部とを有し、前記雌スナップは、雄スナップ凸部の凸部受入れ部への係合時に、凸部の大径部によって内径が弾性的に拡張させられて該大径部を通過させた後、復元方向に縮小して前記小径部に対応するリング状弾性部材と、このリング状弾性部材を、リング中心を向く内側側部を開放して収容するリング収容部とを備えるスナップボタンにおいて、リング収容部の凸部受入れ側上部の高さを部分的に低くした低上部を設け、この低上部に対応するリング収容部の内部空間部分を、該低上部対応内部空間部分以外のリング収容部内部空間に比べて上下方向に狭まくしたことを特徴とするスナップボタンが提供される。
【０００７】
本発明に係るスナップボタンでは、雌スナップのリング収納部の一部（複数部分を含む）に高さを低くくした底上部を設け、この低上部に対応するリング収納部内部空間部分の上下間隔を狭めたことにより、少なくとも該狭空間部分でリング状弾性部材の移動が制限されることとなる。この作用に基づき、本スナップボタンは、リング収納部内部空間内においてリング状弾性部材の移動が全く制限されない従来のリング状弾性部材付き雌スナップを含むスナップボタンに比べ、特定方向（後述）から雌・雄スナップが比較的外しやすくなる。
【０００８】
上記雄スナップ及び雌スナップの材質としては、金属等が好ましく用いられる。
【０００９】
リング状弾性部材は、雄スナップの凸部との係わり合いにより内径を弾性的に拡大及び縮小（復元）可能な金属、又は樹脂、ゴム等の非金属材料からなる部材であり、例えば、Ｃ字型リング、連続した環状リング等として形成され得る。
【００１０】
本発明において、リング収容部において低上部を設ける部分は、リング収容部の３６０度全域でなければよく、従って、リング収容部の上部には必ず高低が生じる。好ましくは、雌スナップにおける低上部は、リング収容部の全周のうち、雌スナップ又は雄スナップが固定される生地部材における、雄スナップと雌スナップとを脱係合させる際に指でつかむ個所（引っ張り点）に最も近くなる部分（引っ張り点からの引っ張り力が生地部材を介して直接的にかかる部分）に設けられる。該引っ張り点は、生地部材上において指でつかむ個所がばらつきつつもある範囲に集中する場合の該範囲の中心である。このような指でつかむ個所が集中する範囲が複数認められる用途では、リング収容部において低上部も複数設けられ得る。
【００１１】
本発明に係るスナップボタンの用途の一例である女性用ボディースーツの股部においては、スーツを脱ぐために該股部のスナップボタンを外す際、手でつかむ（雌スナップが固定された）生地部材の個所（引っ張り点）と、この個所を引っ張る方向とがほぼ一定である。この場合、雌スナップのリング収容部の全周のうち、上記引っ張り点に最も近い部分、すなわち、引っ張り点とリング中心とを結ぶ直線上に来る部分に低上部を設け、該低上部に対応するリング収容部の内部空間部分（狭空間部）を上下方向に狭くする。これにより、上記引っ張り点から所定の引っ張り方向（図４の矢印Ａ参照）に雌スナップが固定された生地部材を引くことにより、雌スナップが雄スナップから外れやすくなること、及び、耐横引き力（スーツ使用時にかかる横引き力に対する離脱抵抗）が従来のスナップボタンと同程度であることが実験で確認できた（表１及び２参照）。
【００１２】
本発明では、前記低上部に対応するリング収容部内部空間部分（狭空間部）の上下方向間隔を、リング状弾性部材の厚さ（断面直径）に等しくすることができる。この場合、狭空間部においてリング状弾性部材は上下方向に全く移動できなくなる。
【００１３】
本発明ではまた、前記低上部がリング状弾性部材をリング収容部の底部に対し押圧して固定するようにすることができる。この場合、狭空間部でのリング状弾性部材の固定により、リング状弾性部材は狭空間部以外のリング収容部内部空間、特に狭空間部の直径方向反対側でも上下方向に移動しにくくなる。
【００１４】
別の本発明によれば、凸部を有する雄スナップと、凸部を係合及び脱係合可能に受け入れる凸部受入れ部を有する雌スナップとからなり、前記凸部は、先端付近の大径部と、この大径部から外径が次第に縮小してなる小径部とを有し、前記雌スナップは、雄スナップ凸部の凸部受入れ部への係合時に、凸部の大径部によって内径が弾性的に拡張させられて該大径部を通過させた後、復元方向に縮小して前記小径部に対応するリング状弾性部材と、このリング状弾性部材を、リング中心を向く内側側部を開放して収容するリング収容部とを備えるスナップボタンにおける雌スナップの加工方法であって、下方に突出する隆起部を底部に有するダイを雌スナップに対し相対的に押し付けることにより、ダイの隆起部によってリング収容部の凸部受入れ側上部の高さを部分的に低くした低上部を設け、この低上部に対応するリング収容部の内部空間部分を、該低上部対応内部空間部分以外のリング収容部内部空間に比べて上下方向に狭まくすることを特徴とする雌スナップの加工方法が提供される。なお、上記ダイを押し付ける工程は、生地に固定した雌スナップ又は生地に固定していない雌スナップに対して行うことができる他、雌スナップの生地への取付け時に行うこともできる。
【００１５】
更に別の本発明によれば、凸部を有する雄スナップと、凸部を係合及び脱係合可能に受け入れる凸部受入れ部を有する雌スナップとからなり、前記凸部は、先端付近の大径部と、この大径部から外径が次第に縮小してなる小径部とを有し、前記雌スナップは、雄スナップ凸部の凸部受入れ部への係合時に、凸部の大径部によって内径が弾性的に拡張させられて該大径部を通過させた後、復元方向に縮小して前記小径部に対応するリング状弾性部材と、このリング状弾性部材を、リング中心を向く内側側部を開放して収容するリング収容部とを備えるスナップボタンにおける雌スナップを生地部材に取り付けるにあたり、生地部材の上方に、雌スナップを、下方に突出する隆起部を底部に有する取付けダイに保持させ、下方に、雌スナップを生地部材に固定するための雌スナップ固定部材を固定部材支持台上に配置し、次いで、取付けダイを固定部材支持台に向かって相対的に移動させて、雌スナップと雌スナップ固定部材とを生地部材を挟んで互いに突き合わせ、雌スナップ固定部材又は雌スナップの一部を生地部材を貫通させた後、雌スナップ又は雌スナップ固定部材に変形係止させて雌スナップを生地部材に固定すると共に、取付けダイの隆起部によってリング収容部の凸部受入れ側上部の高さを部分的に低くした低上部を設け、この低上部に対応するリング収容部の内部空間部分を、該低上部対応内部空間部分以外のリング収容部内部空間に比べて上下方向に狭まくすることを特徴とする雌スナップの加工方法が提供される。かかる方法により、雌スナップを生地部材に取り付けると同時にリング収容部に低上部を設けることができる。
【００１６】
本発明において、前記雌スナップにおける低上部を、リング収容部の全周のうち、雌スナップ又は雄スナップが固定される生地部材における、雄スナップと雌スナップとを脱係合させる際に指でつかむ個所（引っ張り点）に最も近くなる部分に設けることができる。
【発明の効果】
【００１７】
本発明に係るスナップボタンでは、リング状弾性部材を付加して結合力及び分離抵抗を高めた雌スナップのリング収容部の一部に、高さが低い低上部を設けて該低上部に対応するリング収容部内の空間部分を上下方向に狭い狭空間部とし、かかる低上部及び狭空間部を、雌スナップ又は雄スナップが固定された生地部材においてスナップボタンを外す際に指で引っ張る個所の最も近くに配置することにより、上記個所からの引っ張りによりスナップボタンが従来スナップと比較して外しやすくなる。その一方、生地部材を介して雄スナップ及び／又は雌スナップにかかる横引き力に対する離脱抵抗すなわち使用時のスナップ結合力は従来スナップと同程度に維持される。
【００１８】
本発明に係る雌スナップの加工方法では、上記利点を有する雌スナップを容易に形成することができ、更に、雌スナップの生地部材への取付けと同時にリング収容部に低上部を加工することができる。
【発明を実施するための最良の形態】
【００１９】
以下、本発明の好適な実施形態を図面を参照しつつ説明する。図１及び２は、本発明の一実施形態に係るスナップボタンを構成する一対の雄スナップ１及び雌スナップ２をそれぞれ示す斜視図である。図３は、女性用のボディースーツの股部の合わせ目に適用した雄スナップ１と雌スナップ２の係合状態を示す（後述する低上部２３及び狭空間部ｓを通る）縦断面図である。雄・雌スナップ１、２は金属製であり、それぞれ生地片ｔ、ｔ’の裏側から金属製の雄スナップ固定部材１４及び雌スナップ固定部材２６（図３等参照）によって生地片ｔ、ｔ’上に固定されている。なお、生地片ｔ、ｔ’は前後（図３において左右）に延びてボディースーツ本体に連結されている。
【００２０】
雄スナップ１は従来のものと同様であり、基部１３から同心状に突出する凸部１０を有し、凸部１０の外径は、先端付近で最大となって大径部１１をなし、大径部１１から基端側へ向かって次第に縮小して小径部１２をなす。
【００２１】
雌スナップ２は、リング状弾性部材としての、リングの一部が破断された金属製でＣ字型のばねリング２１と、ばねリング２１を収容するリング収容部２２と、周縁部２４とを備え、ばねリング２１及びリング収容部２２の円周方向内側の空間（開口）が、雄スナップ１の凸部１１を係合及び脱係合可能に受け入れる凸部受け入れ部２０となる。リング収容部２２は、図３に示すように、縦断面がほぼ半円形状に凸部１０の受入れ側から連続する上部２２ａと外側側部２２ｂと底部２２ｃとを有し、リング中心を向く内側側部が開放されている。リング収容部２２の一部には、上部２２ａの高さを凹状に低くした低上部２３が形成されており、低上部２３に対応するリング収容部２２の内部空間は、低上部２３対応部分以外のリング収容空間に比べて上下方向に狭い狭空間部ｓとなっている。更に、狭空間部ｓにおいて、ばねリング２１は、低上部２３と底部２２ｃとの間に挟み付けられてここで圧着固定されている。
【００２２】
ばねリング２１の基本的な動作は次のようになる。すなわち、雄スナップ１の凸部１０を雌スナップ２の凸部受入れ部２０に係合させる際、ばねリング２１は、凸部大径部１１によって内径が拡張させられて大径部１１を通過させ、その後、内径が復元方向に縮小して凸部小径部１２を保持する（図３）。凸部１０を凸部受入れ部２０から脱係合させる場合、ばねリング２１の内径は、凸部小径部１２から大径部１１へと次第に拡大する。この凸部着脱時のばねリング２１の拡縮変形は、ばねリング２１が上述のように狭空間部ｓで低上部２３と底部２２ｃ間に圧着固定されているため、狭空間部ｓでは生じず、狭空間部ｓ以外のリング収容空間で生じ、特に狭空間部ｓと直径方向反対側の空間部分（以下、単に「反対側空間部」という。）ｓ１でリング２１の変形量が最も大きくなる。
【００２３】
図４は、ボディースーツを脱ぐ際、その股部の雄・雌スナップ１、２を外すため、雌スナップ２が固定された生地片ｔ’を矢印Ａ方向に引っ張り始めている状態を示す雄・雌スナップ１、２の縦断面図である。本例のボディースーツでは、その股部の雄・雌スナップ１、２を外す際、必ず生地片ｔ’の自由端部付近を指でつかんでＡ方向（ばねリング２１の中心を中心とする反時計回り方向）に引くようになり（以下、指で引く個所を「引っ張り点」という。）、この生地片ｔ’を引く力は、雌スナップ２のリング収容部２２及びばねリング２１の全周において引っ張り点から最も近い低上部２３及び狭空間部ｓ対応部分に直接的に作用して、この作用部分から雌スナップ２を水平（雄スナップ１側の生地片ｔを水平とする）に対し若干斜めにしながら雄スナップ凸部１０から下方に外そうとする。換言すれば、当該ボディースーツ股部は、雄・雌スナップ１、２を外す際の引っ張り点及び引っ張り方向Ａが予め分かっており、生地片ｔ’に対して雌スナップ２を取り付ける際に、リング低上部２３及び狭空間部ｓが上記のように引っ張り点から最も近く、引っ張り力が直接的に作用する個所に来るように設定される。
【００２４】
上記実施形態に係るスナップボタンと、従来のスナップボタン（雌スナップのリング収容部に低上部２３及び狭空間部ｓが設けられていない点以外は本形態スナップボタンと全く同様のもの。）とについて、上記引っ張り点から方向Ａへの生地片の引っ張りによる雄・雌スナップ間の脱係合時の引っ張り荷重（Ｎ）を、本形態スナップ及び従来スナップをランダムにそれぞれ２０個ずつ選んで測定した。その結果を表１に示す。
【００２５】
【表１】
0004531672.tif 000002
【００２６】
表１より、本形態スナップボタンは、従来のスナップボタンに比べ、Ａ方向からより小さい引っ張り力で雌スナップ２が雄スナップ１から離脱することが分かる。これは、本形態スナップボタンでは、雌スナップ２の狭空間部ｓでばねリング２１の移動が制限され、反対側空間部ｓ１側でばねリング２１が拡張するのに対し、従来スナップでは、リング収納部内でばねリングが自由に動いてしまうことに起因すると考えられる。なお、本形態スナップの脱係合動作は次のようになると考えられる。
【００２７】
本実施形態に係るスナップボタンでは、図４に示すように生地片ｔ’を引っ張り点（生地片ｔ’の自由端部付近）から方向Ａに引くと、この引っ張り力が生地片ｔ’を介して、リング収容部２２の全周において引っ張り点から最も近い低上部２３部分に伝わり、この部分から雌スナップ２が下方に引き下げられるようになり、雌スナップ２は、水平に対し斜めになって雄スナップ１の凸部１０から外れようとする。この際、本実施形態では、低上部２３とは直径方向反対側にあって雌スナップ２において最も上方に位置する周縁部２４の頂部（Ｃ点）が雄スナップ１の基部１３に接して当該傾斜の支点となる。ばねリング２１は、狭空間部ｓにおいて上述したように低上部２３とリング収容部底部２２ｃとの間で固定されているため、狭空間部ｓ側では径方向外側に変位せず、低上部２３側リング収容部２２と一体的に凸部１０の軸方向下方へと引き下げられ、これに応じて、反対側空間部ｓ１側でばねリング２１が半径方向外側に開いて行き、雌スナップ２が雄スナップ１から外れる。
【００２８】
上記本形態スナップボタンと上記従来スナップボタンについて、生地片を介して雌スナップに横引き力を作用させて（図３のＢ方向）雄・雌スナップ間が脱係合する際の横引き荷重（Ｎ）を、各スナップ２０個ずつ選んで測定した結果を表２に示す。
【００２９】
【表２】
0004531672.tif 000003
【００３０】
表２から、本形態スナップと従来スナップとで耐横引き力に差がなく、従って、雌スナップ２のリング収容部２２に低上部２３及び狭空間部ｓを設けたことによって、ボディスーツの使用時に雄・雌スナップ１、２間が外れやすくなるようなことは全くないことが分かる。
【００３１】
次に、本発明に係る雌スナップの加工方法として、雌スナップ２を生地片ｔ’に固定する工程を説明する。図５は、雌スナップ（リングソケット）２を生地片ｔ’に固定する直前の状態を示す断面説明図である。この状態において、雌スナップ２は、生地片ｔ’の上方において取付けダイ３０の底部中央の凸部３１を凸部受入れ部２０に受け入れ、ばねリング２１が凸部３１を保持してダイ３０に付けられている。また、生地片ｔ’の下方には、雌スナップ固定部材２６が、ダイ３０と同心状の支持台４０上に配置される。図６はダイ３０の底部の平面図であり、該底部において、凸部３１の外側に雌スナップ２のリング収容部上部２２ａ及び周縁部２４にそれぞれ対応する部分３２、３４があり、リング収容部上部対応部分３２の全周のうちの一部に、下方に凸となる隆起部３３が形成されている。次いで、ダイ３０を降下させると、図７に示すように、雌リング固定部材２６の加締め部２７が生地ｔ’を貫通した後、雌スナップ２の周縁部２４底部にある環状開口２５内に入り込んだ後、周縁部２４内で加締められ、これによって雌スナップ２が生地片ｔ’上に固定される。これと同時に、ダイ３０の隆起部３３がリング収容部２２の上部２２ａの一部を押し下げて、低上部２３及び狭空間部ｓを形成する。更に、リング収容部２２において低上部２３及び狭空間部ｓを形成する部分は、生地片ｔ’が最終的にボディースーツ本体に取り付けられた際に、上述したように引っ張り点に最も近い個所に来るように設定される。
【００３２】
以上の工程では、雌スナップ２を生地片ｔ’に固定する際に雌スナップ２のリング収容部２２に低上部２３を設けたが、これら生地片ｔ’への固定と低上部２３の形成とを独立に行うこともできる。例えば、図８に示すように、生地片ｔ’に雌スナップ固定部材２６によって既に取り付けられた状態の雌スナップ２に対し、上述したような隆起部３３を有するダイ３０（便宜的に上記取付けダイと同じ番号を用いる。）を降下させて、雌スナップ２のリング収容部２２に低上部２３を形成することができる。
【００３３】
次に、本発明に係るスナップボタンの別の実施形態を説明する。この別形態の雌スナップは、上記雌スナップ２のリング収容部２２における低上部２３及び狭空間部ｓとほぼ同様の低上部（２３）及び狭空間部（ｓ）を有するものの（力がかかっていない状態の当該別形態の雌スナップの縦断面は図３と同じであるため、低上部及び狭空間部について便宜的に図３の参照番号をカッコ付きで用いる。）、低上部（２３）がばねリング２１をリング収容部底部２２ｃとの間で圧着固定はせず、低上部（２３）及び底部２２ｃがばねリング２１に単に接するか接しない程度である点で雌スナップ２と異なっている。従って、狭空間部（ｓ）の上下方向間隔はばねリング２１の厚さ（断面直径）に等しい。
【００３４】
図９は雌スナップの更に別の形態を示し、この雌スナップ２’は、リング収容部２２’の低上部２３’が、凹状に窪むのではなく、二つの切れ目２３”間の部分（２３’）を下方に押し曲げて形成される。
【００３５】
本発明に係るスナップボタンの用途としてボディースーツの股部を挙げたが、本発明はこれに限定されるものではなく、雄・雌スナップ間に比較的高い結合力及び分離抵抗が要求されるものであって、雄・雌スナップ間を外す際の引っ張り点及び引っ張り方向がほぼ決まっているものに対し有効に適用することができる。また、本スナップボタンは、雌スナップのリング収容部における低上部及び狭空間部に向く（近い）引っ張り点からは比較的外しやすく、低上部及び狭空間部以外のリング収容部部分に向く引っ張り点からは比較的外しにくくなるため、方向により脱係合力が異なるような新たなスナップボタンの用途が開発され得る。
【図面の簡単な説明】
【００３６】
【図１】本発明の一実施形態に係るスナップボタンにおける雄スナップを示す斜視図である。
【図２】本発明の一実施形態に係るスナップボタンにおける雌スナップを示す斜視図である。
【図３】雄スナップと雌スナップの係合状態を示す、低上部及び狭空間部を通る縦断面図である。
【図４】図３の状態からスナップボタンを外すため、雌スナップ側の生地片をＡ方向に引っ張り始めている状態を示す図３と同様の縦断面図である。
【図５】雌スナップを生地片に取り付ける直前の状態を示す断面説明図である。
【図６】取付けダイの底面図である。
【図７】雌スナップを生地片に取り付けた状態を示す断面説明図である。
【図８】生地片に取り付けられている雌スナップに対しダイを押し付ける直前の状態を示す断面説明図である。
【図９】雌スナップの更に別の実施形態を示す斜視図である。
【符号の説明】
【００３７】
１  雄スナップ
１０  凸部
１１  大径部
１２  小径部
２、２’  雌スナップ
２０  凸部受入れ部
２１  ばねリング
２２  リング収容部
２２ａ  （リング収容部の）上部
２２ｃ  （リング収容部の）底部
２３、２３’  低上部
ｓ  狭空間部
ｔ、ｔ’  生地片
３０  取付けダイ
３３  隆起部
【図１】
0004531672.tif 000004
【図２】
0004531672.tif 000005
【図３】
0004531672.tif 000006
【図４】
0004531672.tif 000007
【図５】
0004531672.tif 000008
【図６】
0004531672.tif 000009
【図７】
0004531672.tif 000010
【図８】
0004531672.tif 000011
【図９】
0004531672.tif 000012